(57)【要約】【課題】集合板の破損を低減できるとともに、遊技盤に対する集合板の取付位置のばらつきを低減できる遊技機を提供する。【解決手段】第１係止部４５０および第２係止部４６０を備えた係止固定具４４０を用いて集合板４００を遊技盤３０に固定しているので、集合板４００を遊技盤３０に取り付け固定する固定ネジを不使用とすることができ、固定ネジ使用に伴う問題を解消できる。また、集合板４００の嵌合突起部４２０を遊技盤３０の位置決め穴４１０に挿入して当該集合板４００を遊技盤３０に取り付けるので、遊技盤３０の位置決め穴４１０を基準に集合板４００を取り付けることができ、集合板４００の遊技盤３０に対する取付位置の精度を向上させることができる。【選択図】図８
2008067976.tif 000002
【特許請求の範囲】
【請求項１】
遊技球が打ち込まれる遊技領域面を有する遊技盤と、前記遊技盤の裏面の所定箇所に設けられ、遊技球を誘導する通路部を有する集合板と、を備えた遊技機において、
前記遊技盤は、その裏面の所定箇所に、前記集合板を位置決めするための位置決め穴部を備え、
前記位置決め穴部は、その内周で穴底を除く所定箇所に凹部を備え、
前記集合板は、前記遊技盤と対向する面側の所定箇所に、前記位置決め穴部に挿入される突起であって前記位置決め穴部の正面視での穴形状のうちで開口中心点を挟んで対向する２箇所を少なくとも含む部分に合致する形状の突起部を備え、
前記集合板は、前記遊技盤と対向する面側である前面側を見た状態で前記突起部またはその突起部間箇所に、その突起方向に形成された孔部を備え、
さらに、前記集合板を前記遊技盤に固定する固定具を備え、
前記固定具は、その一方側に設けられた、前記位置決め穴部の前記凹部と係止する第１係止部と、その他方側に設けられた、前記孔部と係止する第２係止部とを備え、前記遊技盤の前記位置決め穴部に前記集合板の前記突起部を挿入させた状態で、当該固定具の前記第１係止部を前記位置決め穴部の前記凹部に係止させるとともに当該固定具の前記第２係止部を前記孔部に係止させることで、前記集合板を前記遊技盤に固定する
ことを特徴とする遊技機。
【発明の詳細な説明】
【技術分野】
【０００１】
この発明は、パチンコ機等の遊技機に関する。
【背景技術】
【０００２】
従来、遊技機の代表例として例えばパチンコ機がある。このパチンコ機は、例えば、当該パチンコ機の外殻を形成し遊技場（ホール）の遊技島に固定される外枠と、この外枠の正面視での左端側を開閉軸として外枠に対して開閉可能に支持される内枠と、この内枠の略中央に形成された開口に遊技領域が位置するように取り付けられる遊技盤と、この内枠の正面視での左端側を開閉軸として内枠に対して開閉可能に支持され、遊技領域を視認するための視認窓を有する前面扉とを備えている。
【０００３】
また、遊技盤の裏面の所定箇所には、役物などに入賞した遊技球を誘導して集める集合板が取り付けられている。具体的には、この集合板は、その所定箇所に設けられた貫通孔に固定ネジが挿入されて遊技盤にネジ止めされることで、集合板が遊技盤の裏面に取り付けられている（例えば、特許文献１参照）。
【特許文献１】特開２００２−１８６７５０号公報（第２−３頁，第２−３図）
【発明の開示】
【発明が解決しようとする課題】
【０００４】
しかしながら、このような構成を有する従来例の場合には、次のような問題がある。
すなわち、従来のパチンコ機では、例えば、集合板を遊技盤の裏面に組み付ける際に、集合板を遊技盤に固定するための固定ネジのネジ頭部に力が集中し、組み付け時に集合板の貫通孔（固定ネジが挿入される孔）の周辺部分の箇所が破損することがあるという問題がある。また、集合板が取り付けられた遊技盤の搬送中に振動により、集合板の貫通孔の周辺部分の箇所が破損することがあるという問題がある。
【０００５】
また、遊技盤の前面側に取り付けられたある入賞装置の遊技盤裏面に突出したピンを基準として集合板が遊技盤裏面に取り付けられており、集合板は、一の入賞装置のピンを基準としているため、他の入賞装置などとの位置関係にばらつきが生じ易いし、遊技盤に対する取付位置のばらつきが生じるという問題がある。
【０００６】
本発明は、このような事情に鑑みてなされたものであって、集合板の破損を低減できるとともに、遊技盤に対する集合板の取付位置のばらつきを低減できる遊技機を提供することを目的とする。
【課題を解決するための手段】
【０００７】
この発明は、このような目的を達成するために、次のような構成をとる。
すなわち、請求項１に記載の発明は、
遊技球が打ち込まれる遊技領域面を有する遊技盤と、前記遊技盤の裏面の所定箇所に設けられ、遊技球を誘導する通路部を有する集合板と、を備えた遊技機において、
前記遊技盤は、その裏面の所定箇所に、前記集合板を位置決めするための位置決め穴部を備え、
前記位置決め穴部は、その内周で穴底を除く所定箇所に凹部を備え、
前記集合板は、前記遊技盤と対向する面側の所定箇所に、前記位置決め穴部に挿入される突起であって前記位置決め穴部の正面視での穴形状のうちで開口中心点を挟んで対向する２箇所を少なくとも含む部分に合致する形状の突起部を備え、
前記集合板は、前記遊技盤と対向する面側である前面側を見た状態で前記突起部またはその突起部間箇所に、その突起方向に形成された孔部を備え、
さらに、前記集合板を前記遊技盤に固定する固定具を備え、
前記固定具は、その一方側に設けられた、前記位置決め穴部の前記凹部と係止する第１係止部と、その他方側に設けられた、前記孔部と係止する第２係止部とを備え、前記遊技盤の前記位置決め穴部に前記集合板の前記突起部を挿入させた状態で、当該固定具の前記第１係止部を前記位置決め穴部の前記凹部に係止させるとともに当該固定具の前記第２係止部を前記孔部に係止させることで、前記集合板を前記遊技盤に固定する
ことを特徴とするものである。
【０００８】
［作用・効果］請求項１に記載の発明によれば、遊技機は遊技盤と集合板とを備えている。遊技盤は、遊技球が打ち込まれる遊技領域面を有している。集合板は、遊技盤の裏面の所定箇所に設けられ、遊技球を誘導する通路部を有している。さらに、この遊技盤は、その裏面の所定箇所に、集合板を位置決めするための位置決め穴部を備えている。この位置決め穴部は、その内周で穴底を除く所定箇所に凹部を備えている。一方、集合板は、遊技盤と対向する面側の所定箇所に、位置決め穴部に挿入される突起であって位置決め穴部の正面視での穴形状のうちで開口中心点を挟んで対向する２箇所を少なくとも含む部分に合致する形状の突起部を備えており、さらに、遊技盤と対向する面側である前面側を見た状態で突起部またはその突起部間箇所に、その突起方向に形成された孔部を備えている。そして、遊技盤の位置決め穴部に集合板の突起部を挿入させた状態において、固定具の第１係止部を位置決め穴部の凹部に係止させるとともに当該固定具の第２係止部を孔部に係止させることで、集合板が遊技盤に固定されている。
【０００９】
したがって、第１係止部および第２係止部を備えた固定具を用いて集合板を遊技盤に固定しているので、集合板を遊技盤に取り付け固定する固定ネジを不使用とすることができ、固定ネジ使用に伴う次の問題を解消できる。つまり、集合板を遊技盤の裏面に組み付ける際に、集合板を遊技盤に固定するための固定ネジのネジ頭部に力が集中し、組み付け時に集合板の貫通孔（つまり、固定ネジが挿入される孔）の周辺部分の箇所が固定ネジの締め付けによって破損することがあるという問題を解消できる。また、集合板が取り付けられた遊技盤の搬送中の振動により、集合板の貫通孔の周辺部分で固定ネジの締め付け箇所などが破損することがあるという問題を解消できる。
【００１０】
また、集合板の突起部を遊技盤の位置決め穴部に挿入して当該集合板を遊技盤に取り付けるので、遊技盤の位置決め穴部を基準に集合板を取り付けることができ、集合板の遊技盤に対する取付位置の精度を向上させることができる。また、遊技盤の位置決め穴部を基準に集合板を取り付けることができるので、遊技盤に取り付けられた一の入賞装置のピンを基準に集合板を取り付ける場合に比べて、遊技盤の各入賞装置との位置関係のばらつきを低減できる。
【００１１】
その結果、集合板の破損を低減できるとともに、遊技盤に対する集合板の取付位置のばらつきを低減できる遊技機を提供することができる。
【００１２】
なお、本明細書は、次のような遊技機に係る発明も開示している。
【００１３】
（１）  遊技球が打ち込まれる遊技領域面を有する遊技盤と、前記遊技盤の裏面の所定箇所に設けられ、遊技球を誘導する通路部を有する集合板と、を備えた遊技機において、
前記遊技盤は、その裏面の所定箇所に、前記集合板を位置決めするための位置決め穴部を少なくとも２個備え、
前記複数個の位置決め穴部は、その内周で穴底を除く所定箇所に凹部をそれぞれ備え、
前記集合板は、前記遊技盤と対向する面側の所定箇所に、前記複数個の位置決め穴部にそれぞれ挿入される複数個の突起部を備え、
前記複数個の突起部のうちの一つは、それに対応する前記位置決め穴部の正面視での穴形状のうちの少なくとも一部分に合致し、所定方向たる第１方向への前記集合板の移動を規制する形状であり、前記複数個の突起部のうちのもう一つは、それに対応する前記位置決め穴部の正面視での穴形状のうちの少なくとも一部分に合致し、第１方向とは異なる方向である第２方向への前記集合板の移動を規制する形状であり、
前記集合板は、前記遊技盤と対向する面側である前面側を見た状態で前記突起部またはその突起部間箇所に、その突起方向に形成された孔部を備え、
さらに、前記位置決め穴部のうち少なくとも２箇所で前記集合板を前記遊技盤に固定する複数個の固定具を備え、
前記固定具は、その一方側に設けられた、前記位置決め穴部の前記凹部と係止する第１係止部と、その他方側に設けられた、前記孔部と係止する第２係止部とを備え、前記遊技盤の前記位置決め穴部に前記集合板の前記突起部を挿入させた状態で、当該固定具の前記第１係止部を前記位置決め穴部の前記凹部に係止させるとともに当該固定具の前記第２係止部を前記孔部に係止させることで、前記集合板を前記遊技盤に固定する
ことを特徴とする遊技機。
【００１４】
前記（１）に記載の発明によれば、遊技機は遊技盤と集合板とを備えている。遊技盤は、遊技球が打ち込まれる遊技領域面を有している。集合板は、遊技盤の裏面の所定箇所に設けられ、遊技球を誘導する通路部を有している。さらに、この遊技盤は、その裏面の所定箇所に、集合板を位置決めするための位置決め穴部を少なくとも２個備えている。これらの位置決め穴部は、その内周で穴底を除く所定箇所に凹部をそれぞれ備えている。一方、集合板は、遊技盤と対向する面側の所定箇所に、複数個の位置決め穴部にそれぞれ挿入される複数個の突起部を備えており、複数個の突起部のうちの一つは、それに対応する位置決め穴部の正面視での穴形状のうちの少なくとも一部分に合致し、所定方向たる第１方向への前記集合板の移動を規制する形状であり、複数個の突起部のうちのもう一つは、それに対応する位置決め穴部の正面視での穴形状のうちの少なくとも一部分に合致し、第１方向とは異なる方向である第２方向への前記集合板の移動を規制する形状である。さらに、遊技盤と対向する面側である前面側を見た状態で突起部またはその突起部間箇所に、その突起方向に形成された孔部を備えている。そして、遊技盤の位置決め穴部に集合板の突起部を挿入させた状態において、固定具の第１係止部を位置決め穴部の凹部に係止させるとともに当該固定具の第２係止部を孔部に係止させることを、位置決め穴部の少なくとも２箇所で同様に行うことで、集合板が遊技盤に固定されている。
【００１５】
したがって、第１係止部および第２係止部を備えた固定具を用いて集合板を遊技盤に固定しているので、集合板を遊技盤に取り付け固定する固定ネジを不使用とすることができ、固定ネジ使用に伴う次の問題を解消できる。つまり、集合板を遊技盤の裏面に組み付ける際に、集合板を遊技盤に固定するための固定ネジのネジ頭部に力が集中し、組み付け時に集合板の貫通孔（つまり、固定ネジが挿入される孔）の周辺部分の箇所が固定ネジの締め付けによって破損することがあるという問題を解消できる。また、集合板が取り付けられた遊技盤の搬送中の振動により、集合板の貫通孔の周辺部分で固定ネジの締め付け箇所などが破損することがあるという問題を解消できる。
【００１６】
また、遊技盤の２個以上の位置決め穴部に、突起部をそれぞれ挿入して当該集合板を遊技盤に取り付けるので、遊技盤の２個以上の位置決め穴部を基準として集合板を取り付けることができる。また、これらの突起部により、遊技盤に対する集合板の第１，第２方向への移動が規制されて当該集合板が遊技盤に取り付けられ、集合板を遊技盤での所定の一の位置に取り付けることができ、集合板の遊技盤に対する取付位置の精度を向上させることができる。また、遊技盤の２個以上の位置決め穴部を基準に集合板を取り付けることができるので、遊技盤に取り付けられた一の入賞装置のピンを基準に集合板を取り付ける場合に比べて、遊技盤の各入賞装置との位置関係のばらつきを低減できる。
【００１７】
その結果、集合板の破損を低減できるとともに、遊技盤に対する集合板の取付位置のばらつきを低減できる遊技機を提供することができる。
【００１８】
（２）  請求項１に記載の遊技機、または、前記（１）に記載の遊技機において、
前記固定具は、前記第１係止部が前記位置決め穴部の前記凹部に着脱自在で、かつ、前記第２係止部が前記孔部に着脱自在に構成されている
ことを特徴とする遊技機。
【００１９】
前記（２）に記載の発明によれば、固定具は、その第１係止部が位置決め穴部の凹部に着脱自在であり、かつ、その第２係止部が孔部に着脱自在であるので、使用済み品のリサイクル時には、固定具の第１係止部および第２係止部の係止を解除するだけで集合板を遊技盤から取り外すことができ、遊技盤と集合板と固定具との分別が容易である。また、集合板を遊技盤に固定する固定ネジを不要としているので、固定ネジに起因する問題も生じない。つまり、従来の場合には、遊技盤は木製で、集合板が樹脂成型品で、集合板を遊技盤に固定する固定ネジが金属製であり、当該リサイクル時には、固定ネジを緩めて取り外す作業が必要で煩雑であるという問題があったが、本発明では、固定ネジを不要にでき、当然にその取り外し作業も発生しない。
【００２０】
（３）  前記（２）に記載の遊技機において、
前記第２係止部は、前記固定具の他端に設けられ、その他端に向かうにつれて先細り形状でその先端から所定距離戻った外周所定箇所に返しとしての段差部を有する係止爪を備え、かつ、前記第２係止部の先端から当該固定具の長さ方向に切欠かれた切欠き部を備えたものであり、
前記孔部は、当該集合板の前面側から挿入された前記係止爪の先端側がその集合板の裏面側に突き出た状態で当該係止爪の前記段差部が引っ掛かる掛り受け部を備えているものである
ことを特徴とする遊技機。
【００２１】
前記（３）に記載の発明によれば、第２係止部は、固定具の他端に設けられ、その他端に向かうにつれて先細り形状でその先端から所定距離戻った外周所定箇所に返しとしての段差部を有する係止爪を備え、かつ、この第２係止部の先端から当該固定具の長さ方向に切欠かれた切欠き部を備えている。孔部は、当該集合板の前面側から挿入された係止爪の先端側がその集合板の裏面側に突き出た状態で当該係止爪の段差部が引っ掛かる掛り受け部を備えている。つまり、係止爪の段差部が引っ掛かる掛り受け部は、集合板の裏面側に露出している。したがって、集合板の裏面側から係止爪の解除操作ができる。つまり、係止爪を切欠き部の方へ倒すことで段差部の掛り受け部への引っ掛かりを解除できる。この解除操作により、集合板を遊技盤から取り外すことができることから、集合板の取り外しが容易であり、リサイクルの分別回収性に優れている。
【００２２】
（４）  前記（２）または（３）に記載の遊技機において、
前記位置決め穴部は、その開口視した状態で長穴形状のものであり、
前記凹部は、当該長穴の内周で穴底を除く平面内周箇所に設けられており、
前記第１係止部は、前記固定具の一端に設けられ、その先端に向かうにつれて先細り形状とした矢印形状のものであり、当該固定具の長さ方向に延びた柱部と、前記柱部の先端から当該柱部の外周で斜め方向に延びた逆Ｖ字状の傾斜延出爪を備えたものであり、
前記第１係止部の前記傾斜延出爪を前記長穴の長手方向に揃えて当該長穴たる前記位置決め穴部に挿入され、当該第１係止部をその挿入軸周り方向に９０°または９０°程度回動させた状態で、前記傾斜延出爪が前記凹部に係止される
ことを特徴とする遊技機。
【００２３】
前記（４）に記載の発明によれば、位置決め穴部は、その開口視した状態で長穴形状となっている。この凹部は、当該長穴の内周で穴底を除く平面箇所に設けられている。第１係止部は、固定具の一端に設けられて、その先端に向かうにつれて先細り形状とした矢印形状のものであり、当該固定具の長さ方向に延びた柱部と、この柱部の先端から当該柱部の外周で斜め方向に延びた逆Ｖ字状の傾斜延出爪を備えている。第１係止部の傾斜延出爪を長穴の長手方向に揃えてその長穴たる位置決め穴部に挿入され、当該第１係止部をその挿入軸周り方向に９０°または９０°程度回動させた状態で、傾斜延出爪が凹部に係止される。したがって、第１係止部の傾斜延出爪を長穴の長手方向に揃えることで、その長穴たる位置決め穴部に第１係止部を容易に挿入でき、当該第１係止部をその挿入軸周り方向に９０°または９０°程度回動させるだけでこの固定具の第１係止部が遊技盤の位置決め穴部から抜けないようにでき、好適な着脱自在構成を実現できる。このように、遊技盤からの固定具の取り外しが非常に容易であることから、リサイクルの分別回収性に優れている。
【００２４】
（５）  前記（４）に記載の遊技機において、
前記傾斜延出爪は、その所定箇所であって前記凹部と接触する接触面箇所が凹凸形状となっている
ことを特徴とする遊技機。
【００２５】
前記（５）に記載の発明によれば、傾斜延出爪は、その所定箇所であって凹部と接触する接触面箇所が凹凸形状となっているので、傾斜延出爪の凹凸形状の接触面が凹部に滑り難く係止できる。
【００２６】
（６）  請求項１に記載の遊技機、または、前記（１）から（５）のいずれか一つに記載の遊技機において、
前記位置決め穴部は、その開口視した状態で長穴形状であり、
前記突起部は、その長穴形状のうちで開口中心点を挟んで対向する２箇所の円弧を少なくとも含む部分に合致する形状としている
ことを特徴とする遊技機。
【００２７】
前記（６）に記載の発明によれば、突起部は、位置決め穴部としての長穴のその形状のうちで開口中心点を挟んで対向する２箇所の円弧を少なくとも含む部分に合致する形状としている。したがって、集合板の突起部は、遊技盤の位置決め穴部としての長穴の円弧部分に合致されて挿入され、遊技盤に対する集合板の取り付け位置および姿勢を規制することができ、当該集合板を所定の位置でかつ所定の姿勢で遊技盤に取り付けることができる。
【００２８】
（７）  前記（６）に記載の遊技機において、
前記位置決め穴部は、前記遊技盤の裏面の所定箇所をルータ加工することで形成された長穴である
ことを特徴とする遊技機。
【００２９】
前記（７）に記載の発明によれば、位置決め穴部は、遊技盤の裏面の所定箇所をルータ加工することで形成された長穴としている。したがって、ルータ加工で形成された長穴での対向する円弧部分の形状に応じた突起部を、その長穴に挿入することで、遊技盤に対する集合板の取り付け位置および姿勢を規制することができ、当該集合板を所定の位置でかつ所定の姿勢で遊技盤に取り付けることができる。
【００３０】
（８）  請求項１に記載の遊技機、または、前記（１）から（７）のいずれか一つに記載の遊技機において、
前記遊技機はパチンコ機であることを特徴とする遊技機。
【００３１】
前記（８）に記載の遊技機によれば、集合板の破損を低減できるとともに、遊技盤に対する集合板の取付位置のばらつきを低減できるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【発明の効果】
【００３２】
この発明に係る遊技機によれば、第１係止部および第２係止部を備えた固定具を用いて集合板を遊技盤に固定しているので、集合板を遊技盤に取り付け固定する固定ネジを不使用とすることができ、固定ネジ使用に伴う次の問題を解消できる。つまり、集合板を遊技盤の裏面に組み付ける際に、集合板を遊技盤に固定するための固定ネジのネジ頭部に力が集中し、組み付け時に集合板の貫通孔（つまり、固定ネジが挿入される孔）の周辺部分の箇所が固定ネジの締め付けによって破損することがあるという問題を解消できる。また、集合板が取り付けられた遊技盤の搬送中の振動により、集合板の貫通孔の周辺部分で固定ネジの締め付け箇所などが破損することがあるという問題を解消できる。また、集合板の突起部を遊技盤の位置決め穴部に挿入して当該集合板を遊技盤に取り付けるので、遊技盤の位置決め穴部を基準に集合板を取り付けることができ、集合板の遊技盤に対する取付位置の精度を向上させることができる。また、遊技盤の位置決め穴部を基準に集合板を取り付けることができるので、遊技盤に取り付けられた一の入賞装置のピンを基準に集合板を取り付ける場合に比べて、遊技盤の各入賞装置との位置関係のばらつきを低減できる。その結果、集合板の破損を低減できるとともに、遊技盤に対する集合板の取付位置のばらつきを低減できる遊技機を提供することができる。
【発明を実施するための最良の形態】
【００３３】
以下、パチンコ遊技機（以下、単に「パチンコ機」という）の各種の実施の形態を、図面に基づいて詳細に説明する。
【実施例１】
【００３４】
実施例１のパチンコ機を、図面に基づいて詳細に説明する。図１はパチンコ機１０の正面図であり、図２は、パチンコ機１０の遊技盤３０の正面図であり、図３は、パチンコ機１０の裏面図である。図４は、パチンコ機１０の電気的構成を示すブロック図である。図５は、第３図柄表示装置４２の表示内容を示す説明図である。
【００３５】
図１に示すように、パチンコ機１０は、当該パチンコ機１０の外殻を形成し遊技場（ホール）の遊技島に固定される外枠１１と、この外枠１１の一側部（例えば正面視での左側部）を開閉軸として外枠１１に対して開閉可能に支持された内枠１２と、この内枠１２の一側部（例えば正面視での左側部）を開閉軸として内枠１２に対して開閉自在に取り付けられる前面枠セット１４とを備えている。
【００３６】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００３７】
図１に示すように、内枠１２は、大別すると、その外形を形成する主要部材としての樹脂ベース（図示省略）と、この樹脂ベースの前面側で片開き自在な前面枠セット１４と、樹脂ベース（図示省略）に取り付けられる遊技盤３０（図２参照）とを備えている。
【００３８】
具体的には、樹脂ベース（図示省略）は、正面視で、その外形が略矩形状で、かつ、その略中央箇所を開口中心とする開口部（後述する遊技領域面３０ａ（図２参照）と同等の大きさの開口）が形成された板状部材としている。
【００３９】
前面枠セット１４は、正面視左側で上下方向の開閉軸を軸心にして当該内枠１２に対して開閉自在に取り付けられている。言い換えれば、前面枠セット１４は、樹脂ベース（図示省略）に対して開閉自在となっている。
【００４０】
遊技盤３０（図２参照）は、その遊技領域面３０ａを樹脂ベース（図示省略）の開口部に位置させるようにして当該樹脂ベースに着脱自在に取り付けられる。
【００４１】
ここで、もう少し詳細に前面枠セット１４について説明する。
【００４２】
前面枠セット１４は、図１に示すように、内枠１２に対して開閉可能に取り付けられており、内枠１２と同様、パチンコ機１０の正面からみて左側に上下に延びる開閉軸を軸心にして前方側に開放できるようになっている。
【００４３】
前面枠セット１４は、図１に示すように、その前面視すると、最下部に位置する下皿ユニット１３と、この下皿ユニット１３の上側に位置する上皿ユニット２１と、この上皿ユニット２１の上側に位置するガラス枠部２３とを備えている。
【００４４】
下皿ユニット１３は、図１に示すように、前面枠セット１４の最下部箇所に位置するように、ネジ等の締結具により固定されている。この下皿ユニット１３は、その前面側に、下皿１５と球抜きレバー１７と遊技球発射ハンドル１８とを備えている。球受皿としての下皿１５は、下皿ユニット１３のほぼ中央部に設けられており、排出口１６より排出された遊技球が下皿１５内に貯留可能になっている。球抜きレバー１７は、下皿１５内の遊技球を抜く（排出する）ためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。遊技球発射ハンドル１８は、下皿１５よりも右方で手前側に突出して配設されている。遊技者による遊技球発射ハンドル１８の操作に応じて、遊技球発射装置３８によって遊技球が後述する遊技盤３０の方へ打ち込まれるようになっている。遊技球発射装置３８は、例えば、遊技球発射ハンドル１８と発射装置２２９（図４参照）などで構成されている。音出力部２４は、前面枠セット１４の正面視で上部の左右２箇所で、その前面枠セット１４の内部あるいは背面箇所に設けられたスピーカからの音を出力するための出力口である。
【００４５】
上皿ユニット２１は、図１に示すように、前面枠セット１４の下部箇所（前述の下皿１５の上方位置）に位置するように、ネジ等の締結具により固定されており、遊技球の受皿としての上皿１９を備えている。ここで、上皿１９は、遊技球を一旦貯留し、一列に整列させながら遊技球発射装置３８の方へ導出するための球受皿である。
【００４６】
ガラス枠部２３は、図１に示すように、上皿ユニット２１の上側に形成された窓部１０１と、この窓部１０１の周囲に設けられた各種の電飾部とを備えている。
【００４７】
つまり、前面枠セット１４には、図１に示すように、前述した上皿ユニット２１の上側に、遊技盤３０の遊技領域面３０ａ（図２参照）のほとんどを外部から視認することができるよう略縦長楕円形状の窓部１０１が形成されている。詳しくは、窓部１０１は、略縦長楕円形状で中央が空洞となっており、その空洞部分を略縦長楕円形状等のガラス板１３７で覆うように、図示省略のガラスユニットが前面枠セット１４の裏面側に取り付けられたものである。図示省略のガラスユニットは、二枚のガラス板１３７を前後方向に近設させて並べた二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００４８】
加えて、前面枠セット１４は、図１に示すように、その前面側で窓部１０１の周囲（例えば、上箇所、左箇所、右箇所など）に各種の電飾部を備えている。これらの電飾部は、大当たり時や所定のリーチ時等における遊技状態の変化に応じて点灯、点滅のように発光態様が変更制御され遊技中の演出効果を高める役割を果たすものである。例えば、窓部１０１の周縁でその左箇所及び右箇所には、ＬＥＤ等を内蔵した左側電飾部及び右側電飾部がそれぞれに設けられ、窓部１０１の周縁でその上箇所（パチンコ機１０の最上部）には、同じくＬＥＤ等を内蔵した上側電飾部が設けられている。
【００４９】
本パチンコ機１０では、左側電飾部、右側電飾部および上側電飾部は、大当たりランプとして機能し、大当たり時に点灯や点滅を行うことにより、大当たり中であることを報知する。その他、本パチンコ機１０のコーナー部には、賞球払出し中に点灯する賞球ランプ１０５と、所定のエラー時に点灯するエラー表示ランプ１０６とが備えられている。また、窓部１０１の周縁で右斜め下箇所には、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００５０】
また、窓部１０１の下方には貸球操作部１２０が配設されており、貸球操作部１２０には球貸しボタン１２１と返却ボタン１２２とが設けられている。パチンコ機１０の側方に配置された図示しないカードユニット（球貸しユニット）に紙幣やカード（例えばプリペイドカード）等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。なお、貸球操作部１２０にさらに度数表示部（図示省略）を設けるようにしてもよい。この度数表示部（図示省略）は、カード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００５１】
遊技盤３０は、図２に示すように、正面視で四角形状の合板よりなり、その周縁部が内枠１２の樹脂ベース（図示省略）の裏側に当接した状態で取着されており、この遊技盤３０の前面側の略中央部分たる遊技領域面３０ａが樹脂ベースの略楕円形状の図１に示した窓部１０１（ガラス板１３７）を通じて内枠１２の前面側から視認可能な状態となっている。
【００５２】
次に、図２を用いて遊技盤３０の構成を説明する。遊技盤３０は、一般入賞口３１、可変入賞装置３２、第１の始動口３３ａ，３３ｂ（例えば作動チャッカ）、第２の始動口３４（例えばスルーゲート）、可変表示装置ユニット３５等を備えている。これらの一般入賞口３１、可変入賞装置３２、第１の始動口３３ａ，３３ｂ（例えば作動チャッカ）、第２の始動口３４（例えばスルーゲート）、可変表示装置ユニット３５等は、遊技盤３０における、ルータ加工によって形成された各貫通穴にそれぞれに配設され、遊技盤３０前面側から木ネジ等により取り付けられている。前述の一般入賞口３１、可変入賞装置３２および第１の始動口３３ａ，３３ｂに遊技球が入球し、当該入球が後述する検出スイッチ（入賞口スイッチ、カウントスイッチ、作動口スイッチ）で検出され、この検出スイッチの出力に基づいて、上皿１９（または下皿１５）へ所定数の賞品球が払い出される。なお、前述したように、上部側の第１の始動口３３ａには作動口スイッチ（通過検出スイッチ）が設けられ、この第１の始動口３３ａへの入球をその作動口スイッチにより検出されるようになっている。また、下部側の第１の始動口３３ｂにも作動口スイッチ（通過検出スイッチ）が設けられ、この第１の始動口３３ｂへの入球をその作動口スイッチにより検出されるようになっている。すなわち、上部側の第１の始動口３３ａへの遊技球の入球または下部側の第１の始動口３３ｂへの遊技球の入球のどちらの場合にも、それが始動入賞であることに変わりは無い。なお、上部側の第１の始動口３３ａと下部側の第１の始動口３３ｂとは、図２に示すように、単一の始動入賞装置３３で構成されている。
【００５３】
その他に、図２に示すように、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、風車３７等の各種部材（役物）が配設されている。
【００５４】
可変表示装置ユニット３５は、第１の始動口３３ａ，３３ｂへの入賞をトリガとして、識別情報としての第１図柄（例えば特別図柄）を変動表示する第１図柄表示装置４０と、第２の始動口３４の通過をトリガとして、第２図柄（例えば普通図柄）を変動表示する第２図柄表示装置４１と、第１の始動口３３ａ，３３ｂへの入賞をトリガとして、第３図柄（例えば装飾図柄）を変動表示する第３図柄表示装置４２とを備えている。
【００５５】
第１図柄表示装置４０は、例えば、複数個（本実施例では２個）の２色発光タイプのＬＥＤ（発光ダイオード）４０ａ，４０ｂと、このＬＥＤ４０ａ，４０ｂでの変動表示の保留数を示す保留ランプ４０ｃとを備えている。このＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００５６】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。なお、上述した第１図柄表示装置４０が本発明における識別情報変動表示手段に相当する。
【００５７】
第２図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第２の始動口３４を通過する毎に例えば表示部４１ａ，４１ｂによる表示図柄（普通図柄）が変動し、その変動表示が所定図柄で停止した場合に下部側の第１の始動口３３ｂが所定時間だけ作動状態となる（開放される）よう構成されている。遊技球が第２の始動口３４を通過した回数は最大４回まで保留され、その保留回数が保留ランプ４１ｃにて点灯表示されるようになっている。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した第２図柄表示装置４１が本発明における普通識別情報変動表示手段に相当する。
【００５８】
第３図柄表示装置４２は、例えば液晶表示装置で構成されており、後述する表示制御装置４５により表示内容が制御される。第３図柄表示装置４２には、例えば後述する図５に示すように、左、中及び右の３つの装飾図柄列Ｌ，Ｍ，Ｒが表示される。各装飾図柄列Ｌ，Ｍ，Ｒは複数の装飾図柄によって構成されており、これら装飾図柄が装飾図柄列Ｌ，Ｍ，Ｒ毎にスクロールされるようにして第３図柄表示装置４２に可変表示されるようになっている。なお本実施の形態では、第３図柄表示装置４２（液晶表示装置）は、例えば、１１インチサイズの大型の液晶ディスプレイを備える。可変表示装置ユニット３５には、第３図柄表示装置４２を囲むようにしてセンターフレーム４７が配設されている。なお、上述した第３図柄表示装置４２が本発明における装飾識別情報（図柄）変動表示手段に相当し、上述した表示制御装置４５が本発明における表示制御手段に相当する。
【００５９】
図２に示すように、可変入賞装置３２は、通常は遊技球が入賞できない又は入賞し難い閉状態になっており、大当たりの際に遊技球が入賞しやすい開状態と通常の閉状態とに繰り返し作動されるものである。このように、大当たりの際に可変入賞装置３２が開状態と通常の閉状態とに繰り返し作動される状態は、特別遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。
【００６０】
より詳しくは、第１の始動口３３ａ，３３ｂに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特別遊技状態が発生する。例えば、両方のＬＥＤ４０ａ，４０ｂが赤色発光状態で停止するという発光態様の場合には、確変大当り（特定当り）の特別遊技状態に当選したことを示し、両方のＬＥＤ４０ａ，４０ｂが青色発光状態で停止するという発光態様の場合には、通常大当り（非特定当り）の特別遊技状態に当選したことを示し、両方のＬＥＤ４０ａ，４０ｂが互いに異なる色の発光状態で停止するという発光態様の場合には外れ（特別遊技状態に落選したこと）を示す。
【００６１】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。遊技球が第１の始動口３３ａ，３３ｂを通過した回数は最大４回まで保留され、その保留回数が保留ランプ４０ｃにて点灯表示されるようになっている。なお、保留ランプ４０ｃは、第３図柄表示装置４２の表示画面の一部で保留表示等される構成等であっても良い。
【００６２】
また、遊技盤３０には、図２に示すように、遊技球発射装置３８（図３参照）から発射された遊技球を遊技盤３０上部へ案内するための複数本のレール５１，５２が取り付けられており、遊技球発射ハンドル１８の回動操作に伴い発射された遊技球は複数本のレール５１，５２の後述する球案内通路４９を通じて所定の遊技領域面３０ａに案内されるようになっている。複数本のレール５１，５２は長尺状をなすステンレス製の金属帯状部材であり、内外二重に遊技盤３０に取り付けられている。内レール５１は、遊技盤３０の上部から右側までを除いて略半円状に形成されている。外レール５２は、一部（主に左側部）が内レール５１に向かい合うようにして形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００６３】
内レール５１の先端部分（図２の左上部）には戻り球防止部材５３が取着されている。これにより、一旦、内レール５１及び外レール５２間の球案内通路４９から遊技盤３０の上部へと案内された遊技球が再度球案内通路４９内に戻ってしまうといった事態が防止されるようになっている。また、遊技盤３０が内枠１２に取り付けられた状態において、外レール５２における、遊技球の最大飛翔部分に対応する位置（図２の右上部：外レール５２の先端部に相当する部位）には、内枠１２に設けられた返しゴム（図示省略）が位置するようになっている。従って、所定以上の勢いで発射された遊技球は、返しゴム（図示省略）に当たって跳ね返されるようになっている。外レール５２は、長尺状をなすステンレス製の金属帯としているので、遊技球の飛翔をより滑らかなものとする、つまり遊技球の摩擦抵抗を少なくすることができる。
【００６４】
なお、遊技盤３０の右下隅部は、証紙（例えば製造番号が記載されている）等のシール（図２のＳ１）やプレートを貼着するためのスペースとなっている。遊技盤３０の右下隅部に、証紙等のシール（図２のＳ１）を貼着することで、遊技盤３０と証紙との一義性を持たせることができる。
【００６５】
次に、遊技盤３０の遊技領域面３０ａについて説明する。遊技領域面３０ａは、図２に示すように、内レール５１と外レール５２との内周部（内外レール）により略縦長円形状に区画形成されており、特に本実施の形態では、遊技盤３０の盤面上に区画される当該遊技領域面３０ａが従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距離は４３５ｍｍ（従来品よりも５０ｍｍ長い）となっている。また、内レール５１の極左位置から内レール５１の極右位置までの間の距離は４１８ｍｍとなっている。
【００６６】
本実施の形態では、遊技領域面３０ａを、パチンコ機１０の正面から見て、内レール５１及び外レール５２によって囲まれる領域のうち、内外レール５１，５２の並行部分である誘導レールの領域を除いた領域としている。従って、遊技領域面３０ａと言った場合には誘導レール部分は含まないため、遊技領域面３０ａの向かって左側限界位置は外レール５２によってではなく内レール５１によって特定される。同様に、遊技領域面３０ａの向かって右側限界位置は内レール５１によって特定される。また、遊技領域面３０ａの下側限界位置は遊技盤３０の下端位置によって特定される。また、遊技領域面３０ａの上側限界位置は外レール５２によって特定される。
【００６７】
従って、本実施の形態では、例えば、遊技領域面３０ａの幅（左右方向の最大幅）は、４１８ｍｍであり、遊技領域面３０ａの高さ（上下方向の最大幅）は、４７５ｍｍであり、縦長楕円形状となっている。
【００６８】
なお、詳しい図面の開示は省略するが、遊技球発射装置３８には、前面枠セット１４側の球出口（上皿１９の最下流部より通じる球出口）から遊技球が１つずつ供給される。
【００６９】
次に、パチンコ機１０の背面の構成について説明する。図３に示すように、パチンコ機１０は、その背面（実際には内枠１２及び遊技盤３０の背面）において、各種制御基板が上下左右に並べられるようにして又は前後に重ねられるようにして配置されており、さらに、遊技球を供給するための遊技球供給装置（払出機構部３５２）や樹脂製の保護カバー等が取り付けられている。本実施の形態では、各種制御基板を２つの取付台に分けて搭載して２つの制御基板ユニットを構成し、それら制御基板ユニットを個別に内枠１２又は遊技盤３０の裏面に装着するようにしている。この場合、後述する図４に示した主制御装置２６１とサブ制御装置２６２とを一方の取付台（図示省略）に搭載してユニット化すると共に、図３に示した払出制御装置３１１、発射制御装置３１２及び電源装置３１３他方の取付台（図示省略）に搭載してユニット化している。ここでは便宜上、前者のユニットを「第１制御基板ユニット２０１」と称し、後者のユニットを「第２制御基板ユニット２０２」と称することとする。
【００７０】
また、払出機構部３５２及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００７１】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は遊技盤３０の裏面に対して開閉できる構成となっている。これは、各ユニット２０１〜２０３やその他構成が前後に重ねて配置されても、隠れた構成等を容易に確認することを可能とするための工夫でもある。
【００７２】
また、遊技盤３０の裏面には、各種入賞口などの遊技球の通過を検出するための入賞感知機構などが設けられている。具体的には、遊技盤３０表側の一般入賞口３１に対応する位置には入賞口スイッチが設けられ、可変入賞装置３２にはカウントスイッチが設けられている。カウントスイッチは入賞球をカウントするスイッチである。また、第１の始動口３３ａ，３３ｂに対応する位置には作動口スイッチがそれぞれ設けられ、第１の始動口３３ａ，３３ｂへの遊技球の入球を当該作動口スイッチで検出される。第２の始動口３４に対応する位置にはゲートスイッチが設けられ、第２の始動口３４への遊技球の通過を当該作動口スイッチで検出される。なお、上述した作動口スイッチが本発明における入賞検出手段に相当する。
【００７３】
入賞口スイッチ及びゲートスイッチは、図示しない電気配線を通じて盤面接続基板（図示省略）に接続され、さらにこの盤面接続基板が後述する主制御装置２６１内の主制御基板２６１ａ（図４参照）に接続されている。また、カウントスイッチは大入賞口中継端子基板（図示省略）に接続され、さらにこの大入賞口中継端子基板（図示省略）がやはり主制御基板２６１ａに接続されている。これに対し、作動口スイッチは中継基板を介さずに直接に主制御基板２６１ａに接続されている。
【００７４】
その他図示は省略するが、可変入賞装置３２には、大入賞口３２ａを開放するための大入賞口ソレノイドが設けられ、下部側の第１の始動口３３ｂには、電動役物を開放するための作動口ソレノイドが設けられている。
【００７５】
上記入賞感知機構にて各々検出された検出結果は、後述する主制御装置２６１内の主制御基板２６１ａに取り込まれ、該主制御基板２６１ａよりその都度の入賞状況に応じた払出指令（遊技球の払出個数）が払出制御基板３１１ａに送信される。そして、該払出制御基板３１１ａの出力により所定数の遊技球の払出が実施される。
【００７６】
第１制御基板ユニット２０１は、主制御装置２６１とサブ制御装置２６２とを備えている。ここで、主制御装置２６１は、図４に示すように、主たる制御を司るＣＰＵ５０１と、遊技プログラムを記憶したＲＯＭ５０２と、遊技の進行に応じた必要なデータを記憶するＲＡＭ５０３と、各種機器との連絡をとる入出力ポート５０５と、各種抽選の際に用いられる乱数発生器（図示省略）と、時間計数や同期を図る場合などに使用されるクロックパルス発生回路（図示省略）などを含む主制御基板２６１ａを具備しており、この主制御基板２６１ａが透明樹脂材料等よりなる基板ボックス２６３（被包手段）に収容されて構成されている。なお、基板ボックス２６３は、略直方体形状のボックスベース（図示省略）と、このボックスベース（図示省略）の開口部（図示省略）を覆うボックスカバー（図示省略）とを備えている。
【００７７】
また、サブ制御装置２６２は、例えば主制御装置２６１内の主制御基板２６１ａからの指示に従い音声やランプ表示の制御や表示制御装置４５の制御を司るＣＰＵ５５１や、その他ＲＯＭ５５２、ＲＡＭ５５３、バスライン５５４及び入出力ポート５５５等を含むサブ制御基板２６２ａを具備しており、このサブ制御基板２６２ａが透明樹脂材料等よりなる基板ボックス（図示省略）に収容されて構成されている。サブ制御装置２６２上には電源中継基板（図示省略）が搭載されており、後述する電源基板より供給される電源がこの電源中継基板（図示省略）を介してサブ制御装置２６２および表示制御装置４５に出力されるようになっている。
【００７８】
第２制御基板ユニット２０２は横長形状をなす取付台（図示省略）を有し、この取付台に払出制御装置３１１、発射制御装置３１２、電源装置３１３及びカードユニット接続基板３１４が搭載されている。払出制御装置３１１は制御の中枢をなすＣＰＵや、その他ＲＯＭ、ＲＡＭ、各種ポート等を含む制御基板を具備しており、発射制御装置３１２は発射制御基板を具備しており、電源装置３１３は電源制御基板を具備している。払出制御装置３１１の払出制御基板３１１ａは、賞品球や貸出球の払出を制御する。また、発射制御装置３１２の発射制御基板により、遊技者による遊技球発射ハンドル１８の操作に従い発射装置２２９（図４参照）の制御が行われ、電源装置３１３の電源基板により、各種制御装置等で要する所定の電源電圧が生成され出力される。本実施例の発射装置２２９は、発射ソレノイド（図示省略）への通電／非通電に従って進退自在な発射槌部（図示省略）で遊技球を打ちつけて発射させるソレノイド式発射部品を採用しているが、それ以外の発射装置２２９としては、発射モータの駆動に従って動作する発射杵で遊技球を打ちつけて発射させる機械式発射部品や、電磁場を発生させることで遊技球を発射させる電磁式発射部品など種々のタイプのものが採用できる。カードユニット接続基板３１４は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００７９】
上記払出制御装置３１１、発射制御装置３１２、電源装置３１３及びカードユニット接続基板３１４は、透明樹脂材料等よりなる基板ボックスにそれぞれ収容されて構成されている。特に、払出制御装置３１１では、前述した主制御装置２６１と同様、基板ボックス（被包手段）を構成するボックスベース（図示省略）とボックスカバー（図示省略）とが封印ユニット（封印手段）によって開封不能に連結され、これにより基板ボックス２６３が封印されている。
【００８０】
払出制御装置３１１には状態復帰スイッチ（図示省略）が設けられている。例えば、払出モータ部の球詰まり等、払出エラーの発生時において状態復帰スイッチ（図示省略）が押下されると、払出モータ３５８ａ（図４参照）がゆっくり正回転され、球詰まりの解消（正常状態への復帰）が図られるようになっている。
【００８１】
また、電源監視基板２６１ｂにはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【００８２】
次に、裏パックユニット２０３の構成を説明する。裏パックユニット２０３は、図３に示すように、樹脂成形された裏パック３５１と遊技球の払出機構部３５２とを一体化したものである。
【００８３】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ３５８ａ等の所定の電気的構成により必要個数の遊技球の払出が適宜行われる。そして、払出装置３５８より払い出された遊技球は払出通路（図示省略）等を通じて前記上皿１９に供給される。
【００８４】
また、タンクレール３５６には、当該タンクレール３５６に振動を付加するためのバイブレータ３６０が設けられている。例えば、バイブレータ３６０が例えば２本のネジでタンクレール３５６に締結されて取り付けられるようになっている。さらに、バイブレータ３６０は、タンクレール３５６に面接触するのではなく、当該２本のネジの部分で接触するようになっており、バイブレータ３６０による振動がより効果的にタンクレール３５６に伝わるようになっている。従って、仮にタンクレール３５６付近で球詰まりが生じた際、バイブレータ３６０が駆動されることで球詰まりが解消されるようになっている。
【００８５】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされるようになっている。
【００８６】
タンク３５５から払出通路（図示省略）に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制されるようになっている。
【００８７】
なお、図３に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータへ出力されるようになっている。
【００８８】
次に、本パチンコ機１０の電気的構成について、図４を用いて説明する。本パチンコ機１０は、主制御装置２６１と、払出制御装置３１１と、発射制御装置３１２と、サブ制御装置２６２と、表示制御装置４５と、電源装置３１３などを備えている。以下に、これらの装置を個別に詳細に説明する。
【００８９】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【００９０】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するためのメモリやエリアを備えている。
【００９１】
つまり、停電などの発生により電源が切断された場合において、主制御装置２６１のＣＰＵ５０１は、通常処理を最後までを実行するので、ＲＡＭ５０３は、電源切断時（停電発生時を含む。以下同様）のカウンタ用バッファや保留球格納エリアの内容を記憶保持するだけでよく、電源の再入時にパチンコ機１０の状態を電源切断前の状態に復帰させることができる。具体的には、電源切断時（停電発生時を含む。以下同様）における通常処理の途中の遊技情報についての各レジスタやＩ／Ｏ等の値を記憶しておくための専用のバックアップエリアをＲＡＭ５０３に設ける必要がない。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【００９２】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、発射制御装置３１２、サブ制御装置２６２、第１図柄表示装置４０、第２図柄表示装置４１や、その他図示しないスイッチ群などが接続されている。また、主制御装置２６１は、第１図柄表示装置４０における第１図柄の変動表示と、第２図柄表示装置４１における第２図柄の変動表示とを制御する機能を備えている。
【００９３】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００９４】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するためのメモリやエリアを備えている。
【００９５】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【００９６】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、主制御装置２６１、発射制御装置３１２、払出モータ３５８ａなどがそれぞれ接続されている。
【００９７】
図４に示すように、発射制御装置３１２は、発射装置２２９による遊技球の発射を許可又は禁止するものであり、発射装置２２９は、所定条件が整っている場合に駆動が許可される。具体的には、発射制御装置３１２は、払出制御装置３１１からのカードユニット接続信号Ｓ４（前述したカードユニットがパチンコ機１０に接続されている場合に出力される信号である）と、遊技者が遊技球発射ハンドル１８をタッチしている場合に出力されるタッチ検出信号Ｓ５と、遊技球発射ハンドル１８に設けられている、発射を停止させるための発射停止スイッチ１８ａが操作されていない場合に出力される発射維持信号Ｓ６との全てが入力されていることを条件に、発射許可信号Ｓ７を主制御装置２６１に出力する。
【００９８】
すなわち、発射許可信号Ｓ７がＯＮ（ハイレベル）である期間は発射許可状態であり、発射許可信号Ｓ７がＯＦＦ（ローレベル）である期間は発射不許可状態である。つまり、主制御装置２６１は、入力される発射許可信号Ｓ７がＯＮ（ハイレベル）である期間において、遊技球を発射する発射ソレノイド（図示省略）の制御を行う発射制御信号Ｓ８（パルス信号）と、発射レール４０１に遊技球を送る球送りソレノイドの制御を行う球送り制御信号Ｓ９（パルス信号）とを、発射制御装置３１２に所定の繰り返し周期で繰り返し出力する。発射制御装置３１２は、発射制御信号Ｓ８及び球送り制御信号Ｓ９に基づいて発射装置２２９を駆動制御し、遊技球発射ハンドル１８の操作量に応じた強度で遊技球が発射される。逆に、主制御装置２６１は、入力される発射許可信号Ｓ７がＯＦＦ（ローレベル）である期間においては、発射制御信号Ｓ８及び球送り制御信号Ｓ９を発射制御装置３１２に出力せず、発射装置２２９によって遊技球が発射されることはない。
【００９９】
表示制御装置４５は、第３図柄表示装置４２における第３図柄（装飾図柄）の変動表示を制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７の入力にはサブ制御装置２６２の出力が接続され、入力ポート５２７には、ＣＰＵ５２１、ＲＯＭ５２２、ワークＲＡＭ５２３、画像コントローラ５２６が接続されている。また、画像コントローラ５２６にはバスライン５３１を介して出力ポート５２９が接続されており、その出力ポート５２９の出力には液晶表示装置である第３図柄表示装置４２が接続されている。
【０１００】
表示制御装置４５のＣＰＵ５２１は、主制御装置２６１からの各種コマンドがサブ制御装置２６２で編集等されて送信される各種コマンドに基づいて、第３図柄表示装置４２での装飾図柄表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０１０１】
ビデオＲＡＭ５２４は、第３図柄表示装置４２に表示される表示データを記憶するためのメモリであり、このビデオＲＡＭ５２４の内容を書き替えることにより、第３図柄表示装置４２の表示内容が変更される。キャラクタＲＯＭ５２５は、第３図柄表示装置４２に表示される装飾図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第３図柄表示装置４２に表示させるものである。
【０１０２】
また、電源装置３１３は、パチンコ機１０の各部に電力を供給するための電源部５４１とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１０３】
図４に示すように、主制御装置２６１は、透明樹脂材料等よりなる基板ボックス２６３内に、主制御基板２６１ａと、この主制御基板２６１ａとは別体の電源監視基板２６１ｂとを備えている。電源監視基板２６１ｂは、停電等による電源遮断を監視する停電監視回路５４２と、ＲＡＭ消去スイッチ３２３に接続されてなるＲＡＭ消去スイッチ回路５４３とを備えている。
【０１０４】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１で交流２４ボルトの電圧を監視し、この電圧が２４ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【０１０５】
なお、電源部５４１は、電源部５４１で監視している交流５ボルトが５ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１０６】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御基板２６１ａに出力する。ＲＡＭ消去スイッチ３２３が押下された状態でパチンコ機１０の電源が投入されると（停電解消による電源入を含む）、主制御装置２６１においてＲＡＭ５０３のデータがクリアされ、払出制御装置３１１は主制御装置２６１からの初期化コマンドを受けるとＲＡＭ５１３のデータがクリアされる。
【０１０７】
ところで、第３図柄表示装置４２（液晶表示装置）には、図５に示すように、左・中・右の３つの装飾図柄列Ｌ，Ｍ，Ｒが設定されており、装飾図柄列Ｌ，Ｍ，Ｒ毎に上装飾図柄、中装飾図柄、下装飾図柄の３個ずつの装飾図柄が変動表示される。本実施の形態では、一連の図柄は、「０」〜「９」の数字を各々付した主装飾図柄ＳＺと、菱形状の絵図柄からなる副装飾図柄ＦＺとにより構成されており、数字の昇順又は降順に主装飾図柄ＳＺが表示されると共に各主装飾図柄ＳＺの間に副装飾図柄ＦＺが配されて一連の装飾図柄列Ｌ，Ｍ，Ｒが構成されている。そして、周期性を持って主装飾図柄ＳＺと副装飾図柄ＦＺが上から下へと変動表示されるようになっている。
【０１０８】
かかる場合、左装飾図柄列Ｌにおいては、上記一連の装飾図柄が降順（すなわち、主装飾図柄ＳＺの番号が減る順）に表示され、中装飾図柄列Ｍ及び右装飾図柄列Ｒにおいては、同じく上記一連の装飾図柄が昇順（すなわち、主装飾図柄ＳＺの番号が増える順）に表示される。そして、左装飾図柄列Ｌ→右装飾図柄列Ｒ→中装飾図柄列Ｍの順に変動表示が停止し、その停止時に第３図柄表示装置４２上の５つの有効ライン、すなわち上ラインＬ１、中ラインＬ２、下ラインＬ３、右上がりラインＬ４、左上がりラインＬ５の何れかで主装飾図柄ＳＺが大当たり図柄の組合せ（本実施の形態では、同一の主装飾図柄ＳＺの組合せ）で揃えば大当たりとして特別遊技動画が表示されるようになっている。
【０１０９】
続いて、本実施例のパチンコ機１０のさらなる特徴部分について図６〜図１６を用いて説明する。
【０１１０】
図６は、遊技盤３０と集合板４００とを後方斜視した分解斜視図である。図７は、遊技盤３０と集合板４００とを前方斜視した分解斜視図である。図８は、遊技盤３０の位置決め穴４１０の箇所の部分と集合板４００の嵌合突起部４２０の箇所の部分と係止固定具４４０とを後方斜視した分解斜視図である。図９は、遊技盤３０の位置決め穴４１０の箇所の部分と集合板４００の嵌合突起部４２０の箇所の部分と係止固定具４４０とを前方斜視した分解斜視図である。図１０は、遊技盤３０と集合板４００とを係止固定具４４０で固定した状態の当該係止固定具４４０の部分箇所を示す後方斜視図である。図１１（ａ）は遊技盤３０の位置決め穴４１０の箇所の部分の正面図、図１１（ｂ）は（ａ）に示したＡ−Ａ線断面図、図１１（ｃ）は（ａ）に示したＢ−Ｂ線断面図である。図１２（ａ）は集合板４００の嵌合突起部４２０の箇所の部分を示す平面図、図１２（ｂ）はその右側面図、図１２（ｃ）はその裏面図、図１２（ｄ）は（ｃ）に示したＣ−Ｃ線断面図、図１２（ｅ）はその正面図、図１２（ｆ）はその底面図である。図１３（ａ）は係止固定具４４０の平面図、図１３（ｂ）はその左側面図、図１３（ｃ）はその正面図、図１３（ｄ）はその右側面図、図１３（ｅ）はその裏面図、図１３（ｆ）はその底面図である。図１４（ａ）〜（ｄ）は係止固定具４４０を用いて集合板４００を遊技盤３０に固定する手順を説明するための図である。図１５は、集合板４００が固定された遊技盤３０での位置決め穴４１０の箇所の部分の断面図である。図１６（ａ）〜（ｄ）は係止固定具４４０を用いて遊技盤３０に固定された集合板４００の取り外し手順を説明するための図である。
【０１１１】
なお、図８〜図１０，図１４および図１６では、遊技盤３０と集合板４００とをその外形を直方体として図示しているが、これは説明の便宜上の理由からであり、これらの図面では、遊技盤３０での位置決め穴４１０の箇所の部分を直方体形状に切り出した格好で図示するとともに、集合板４００での嵌合突起部４２０の箇所の部分も直方体形状に切り出した格好で図示していることに留意されたい。さらに、図１１，図１２についても上記と同様であり、図１１では、遊技盤３０での位置決め穴４１０の箇所の部分を直方体形状に切り出した格好で図示しており、図１２では、集合板４００での嵌合突起部４２０の箇所の部分も直方体形状に切り出した格好で図示している。
【０１１２】
本実施例のパチンコ機１０は、図２を用いて前述したように、遊技球が打ち込まれる遊技領域面３０ａを有する遊技盤３０を備えている。
【０１１３】
この遊技盤３０は、図６，図７に示すように、その裏面側の所定箇所（例えば、裏面視で中央より下側の箇所）に、集合板４００が取り付け固定されるようになっている。また、遊技盤３０は、例えば、その基材として合板が採用されている。
【０１１４】
この集合板４００は、図６，図７に示すように、遊技盤３０の前面側の遊技領域側から裏面側に案内されてきた遊技球を集めて排出するためのものである。集合板４００は、例えば、図２に示す遊技盤３０の前面側での遊技領域面３０ａにおける一般入賞口３１や可変入賞装置３２や第１の始動口３３ａ，３３ｂなどに入賞して遊技盤３０の裏面側に案内されてきた遊技球を集めて、図７で二点鎖線矢印方向に排出するための案内通路４０２がそれぞれに形成されている。また、集合板４００は、例えば、合成樹脂成型品であり、透明となっている。
【０１１５】
遊技盤３０は、図６，図８に示すように、その裏面の所定箇所に、集合板４００を位置決めするための位置決め穴４１０を備えている。この位置決め穴４１０は、例えば図６に示すように、遊技盤３０の裏面下部側で左右の２箇所にそれぞれ形成されている。
【０１１６】
具体的には、図６に示すように、遊技盤３０の裏面下部側で左側の位置決め穴４１０よりも、その右側の位置決め穴４１０の方が上側に形成されている。つまり、両位置決め穴４１０は水平線上に位置するのではなく、傾斜線（水平線に対して傾斜した線）上に位置するようになっている。
【０１１７】
位置決め穴４１０は、図８，図１１に示すように、その開口視した状態で長穴形状のものである。具体的には、この位置決め穴４１０は、遊技盤３０の裏面の所定箇所をルータ加工することで形成された長穴である。
【０１１８】
また、位置決め穴４１０は、図１１（ａ）に示すように、その開口視（正面視）した状態で長穴形状のものであり、図１１（ｂ），図１１（ｃ）に示すように、有底形状の穴である。この有底長穴をルータ加工で形成しているが、貫通長穴をルータ加工で形成し、その後に、当該貫通孔での遊技盤３０の遊技領域面３０ａ側を、所定部材（例えば、長穴に嵌合する形状で所定厚みの合板部品など）を詰めて接着固定することで埋めるようにして、有底長穴を形成するようにしてもよい。
【０１１９】
さらに、この位置決め穴４１０は、図８，図１１および図１５に示すように、その内周で穴底を除く所定箇所に窪み部４１２を備えている。
【０１２０】
具体的には、窪み部４１２は、図８，図１１に示すように、当該長穴の内周で穴底を除く平面内周箇所に設けられている。
【０１２１】
なお、本実施例では、位置決め穴４１０を２個としているが、３個以上としてもよいし、水平線上や鉛直線上に並べるように形成したり、遊技盤３０での集合板４００の四隅に対応する箇所に形成したりしてもよい。
【０１２２】
次に、集合板４００について説明する。
集合板４００は、図７〜図９に示すように、遊技盤３０と対向する面側の所定箇所に、位置決め穴４１０に挿入される突起であってこの位置決め穴４１０の正面視での穴形状のうちで開口中心点を挟んで対向する２箇所を少なくとも含む部分に合致する形状の嵌合突起部４２０を備えている。
【０１２３】
嵌合突起部４２０は、図８，図９，図１２に示すように、その長穴形状のうちで開口中心点を挟んで対向する２箇所の円弧に合致する形状としている。つまり、嵌合突起部４２０は、図９，図１２に示すように、遊技盤３０の位置決め穴４１０たる長穴の両円弧にそれぞれ嵌合するように、上下に２個間隔を空けて設けられたものであり、正面視で円弧状であり、側面視で鍔形状となっている。
【０１２４】
また、この嵌合突起部４２０は、図９，図１２に示すように、その先端側で外側の角部が面取りされた面取り部４２２を備えており、位置決め穴４１０への挿入がし易くなっている。
【０１２５】
さらに、この集合板４００は、図９，図１２に示すように、遊技盤３０と対向する面側である前面側を見た状態で嵌合突起部４２０の間の箇所に、その突起方向に形成された挿入孔部４３０を備えている。
【０１２６】
具体的には、この挿入孔部４３０は、図８，図１２（ｃ）に示すように集合板４００の裏面視で矩形状で、かつ、図１２（ｄ）に示すように集合板４００の裏面側に突出した分の深さを有する第１孔４３２と、図１２（ｅ）に示すように集合板４００の正面視でその矩形状の孔よりも大きい略小判形で、かつ、図１２（ｅ）に示すように集合板４００の厚み分の深さを有する第２孔４３４とを、同一開口中心軸線上に連通した孔形状となっている。
【０１２７】
次に、集合板４００を遊技盤３０に固定する係止固定具４４０について説明する。
集合板４００は、図８〜図１０に示すように、係止固定具４４０を用いて、遊技盤３０に固定される。
【０１２８】
係止固定具４４０は、図８，図９および図１３に示すように、その一方側に設けられた、位置決め穴４１０の窪み部４１２と係止する第１係止部４５０と、その他方側に設けられた、挿入孔部４３０と係止する第２係止部４６０とを備えている。
【０１２９】
また、この係止固定具４４０は、図８の二点矢印線で示すように、遊技盤３０の位置決め穴４１０に集合板４００の嵌合突起部４２０を挿入（嵌合）させた状態で、図１５に示すように、当該係止固定具４４０の第１係止部４５０を位置決め穴４１０の窪み部４１２に係止させるとともに当該係止固定具４４０の第２係止部４６０を挿入孔部４３０に係止させることで、集合板４００を遊技盤３０に固定するものである。
【０１３０】
また、係止固定具４４０は、図１４（ａ）〜図１４（ｃ）に示すように、第１係止部４５０が位置決め穴４１０の窪み部４１２に着脱自在で、かつ、図１４（ｃ），図１４（ｄ）に示すように、第２係止部４６０が挿入孔部４３０に着脱自在に構成されている。
【０１３１】
第１係止部４５０は、図８，図９および図１３に示すように、係止固定具４４０の一端に設けられ、その先端に向かうにつれて先細り形状とした矢印形状のものであり、当該係止固定具４４０の長さ方向に延びた柱部４５２と、この柱部４５２の先端から当該柱部４５２の外周で斜め方向に延びた逆Ｖ字状の傾斜延出爪４５４を備えたものである。
【０１３２】
図１４（ａ）に示すように、第１係止部４５０の傾斜延出爪４５４を長穴（遊技盤３０の位置決め穴４１０）の長手方向に揃えた状態で、図１４（ｂ）に示すように第１係止部４５０が当該長穴たる位置決め穴４１０に挿入され、図１４（ｃ）に示すように、第１係止部４５０をその挿入軸周り方向に９０°または９０°程度回動させた状態で、図１５に示すように傾斜延出爪４５４が窪み部４１２に係止されるようになっている。図１３，図１５に示すように、傾斜延出爪４５４に面取り部４５４ｂを備えているので、第１係止部４５０のその挿入軸周り方向への回動がスムーズに行うことができる。
【０１３３】
第２係止部４６０は、図８，図９および図１３に示すように、係止固定具４４０の他端に設けられ、その他端に向かうにつれて先細り形状でその先端から所定距離戻った外周所定箇所に返しとしての段差部４６４を有する係止爪４６２を備え、かつ、当該第２係止部４６０の先端から当該係止固定具４４０の長さ方向に切欠かれた切欠き部４６６を備えたものである。
【０１３４】
集合板４００の挿入孔部４３０は、図８，図１０および図１５に示すように、当該集合板４００の前面側（正面側）から挿入された係止爪４６２の先端側がその集合板４００の裏面側に突き出た状態で当該係止爪４６２の段差部４６４が引っ掛かる掛り受け部４３６を、当該集合板４００の裏面側に露出して備えているものである。
【０１３５】
さらに、この係止固定具４４０は、図８，図９に示すように、第１係止部４５０と第２係止部４６０とを連結した連結部４７０を備えている。この連結部４７０は、その断面視で、図１２（ｅ）に示した略小判形の孔に嵌入される形状となっており（図１５も参照）、係止固定具４４０のその挿入方向を軸として当該係止固定具４４０がその軸周りに回動してしまうことがないように規制している。
【０１３６】
さらに、第１係止部４５０の傾斜延出爪４５４は、図８，図１３および図１５に示すように、その所定箇所であって窪み部４１２と接触する接触面４５４ａの箇所が凹凸形状となっている。
【０１３７】
図１５に示すように、係止固定具４４０の一端側は、第２係止部４６０の係止爪４６２の段差部４６４が集合板４００の挿入孔部４３０の掛り受け部４３６に係止されており、その係止固定具４４０の他端側は、この傾斜延出爪４５４の接触面４５４ａは、図１５に示すように、係止固定具４４０の取り付け状態において、遊技盤３０の窪み部４１２に押圧されてその凹凸形状で係止された状態となっており（つまり、傾斜延出爪４５４の接触面４５４ａが窪み部４１２の開口側角部に押圧されてその凹凸形状で係止された状態となっており）、係止固定具４４０の長手方向および短手方向へのガタツキが無い状態となっている。つまり、係止固定具４４０の長手方向に関しては、係止固定具４４０の抜け方向（集合板４００への方向）への移動は接触面４５４ａの窪み部４１２への押圧で規制されるとともに、この係止固定具４４０の差し込み方向（遊技盤３０の窪み部４１２の深さ方向）への移動は係止爪４６２の段差部４６４の掛り受け部４３６の引っ掛かりで規制されている。また、係止固定具４４０の短手方向に関しては、傾斜延出爪４５４の両接触面４５４ａが窪み部４１２への押圧で規制されていることによる。
【０１３８】
そして、この接触面４５４ａが凹凸形状となっていることは、木製（例えば合板）による遊技盤３０のときに特に好ましい。つまり、遊技盤３０の位置決め穴４１０に窪み部４１２を形成するなどのルータ加工時に、窪み部４１２のその開口側箇所の木の繊維がとられている（削られている）ことがあった場合に、接触面４５４ａの凹凸形状で窪み部４１２を適切に捉える（引っ掛かる）ことができ、その木材欠損を許容できる。また、係止固定具４４０の両端を第２係止部４６０とするのではなく、係止固定具４４０の一端を第１係止部４５０としその他端を第２係止部４６０としているのは、ガタツキ防止の観点からでもある。
【０１３９】
なお、上述した案内通路４０２が本発明における通路部に相当し、上述した位置決め穴４１０が本発明における位置決め部に相当し、上述した窪み部４１２が本発明における凹部に相当し、上述した嵌合突起部４２０が本発明における突起部に相当し、上述した挿入孔部４３０が本発明における孔部に相当し、上述した係止固定具４４０が本発明における固定具に相当する。
【０１４０】
ここで、係止固定具４４０を用いて、集合板４００を遊技盤３０に取り付け固定する手順について、図１４を用いて説明する。
【０１４１】
＜係止固定具４４０の集合板４００への取り付け＞
図６に示すように、各係止固定具４４０を集合板４００の各挿入孔部４３０に、それぞれ挿入し係止させる。つまり、図１４（ａ）に示すように、係止固定具４４０の第２係止部４６０を、集合板４００での遊技盤３０と対向する面側から当該集合板４００の各挿入孔部４３０に挿入されて係止された状態となり、各係止固定具４４０を集合板４００各挿入孔部４３０に係止させる。
【０１４２】
＜集合板４００を遊技盤３０に取り付け＞
図１４（ｂ）に示すように、集合板４００に取り付けられた各係止固定具４４０の第１係止部４５０を遊技盤３０の各位置決め穴４１０に挿入させるとともに、集合板４００の各嵌合突起部４２０を遊技盤３０の各位置決め穴４１０に嵌合させるようにして、集合板４００を遊技盤３０に取り付ける。
【０１４３】
つまり、図１４（ｂ）に示すように、係止固定具４４０の第１係止部４５０の傾斜延出爪４５４を長穴（遊技盤３０の位置決め穴４１０）の長手方向と直交する短手方向として状態で、この第１係止部４５０を当該長穴たる位置決め穴４１０に挿入していくとともに、集合板４００の嵌合突起部４２０を遊技盤３０の位置決め穴４１０に嵌合させるようにして、集合板４００を遊技盤３０に取り付けていく。つまり、係止固定具４４０の第１係止部４５０の傾斜延出爪４５４を遊技盤３０の位置決め穴４１０に挿入させるとともに、円弧状の両嵌合突起部４２０が長穴たる位置決め穴４１０のその両円弧部分に嵌入されていき、集合板４００が遊技盤３０に取り付けられていく。
【０１４４】
この挿入の際には、傾斜延出爪４５４は、遊技盤３０の位置決め穴４１０の短手方向開口端に接触して内側に弾性変形された状態（細められた状態）で、この傾斜延出爪４５４が位置決め穴４１０に挿入されていき、図１５に示すように傾斜延出爪４５４が位置決め穴４１０の窪み部４１２に入ると、この窪み部４１２による空間拡張によって傾斜延出爪４５４の弾性変形が低減され（細められた状態がある程度戻る）、傾斜延出爪４５４が窪み部４１２に係止された状態となる。
【０１４５】
＜第２係止部４６０の挿入孔部４３０への係止＞
図１４（ｃ）に示すように、集合板４００の正面側を遊技盤３０の裏面側に完全に押し付けた状態とすることで、各係止固定具４４０の第２係止部４６０が各挿入孔部４３０に係止された状態となる。つまり、第２係止部４６０の係止爪４６２の段差部４６４が挿入孔部４３０の掛り受け部４３６に引っ掛かり係止された状態となり、集合板４００を遊技盤３０の裏面に取り付けられる。
【０１４６】
このようにすることで、係止固定具４４０を用いた、集合板４００の遊技盤３０への固定が完了する。
【０１４７】
ここで、今度は逆に、集合板４００の遊技盤３０からの取り外し手順について、図１６を用いて説明する。
【０１４８】
＜第２係止部４６０の係止解除＞
図１０に示すように、集合板４００が遊技盤３０の裏面に取り付けられて、各係止固定具４４０の第２係止部４６０が各挿入孔部４３０に係止された状態となっており、掛り受け部４３６が集合板４００の裏面側に露出している状態となっている。つまり、図１６（ａ）に示すように、第２係止部４６０の係止爪４６２の段差部４６４が挿入孔部４３０の掛り受け部４３６に引っ掛かり係止された状態において、両係止爪４６２同士を近づけるように力を加える（図１６（ａ）に示す二点鎖線矢印を参照）ことで、係止爪４６２の段差部４６４による掛り受け部４３６への引っ掛かりを解除させる。
【０１４９】
＜集合板４００の取り外し＞
図１６（ａ）に示すように、係止爪４６２の段差部４６４による掛り受け部４３６への引っ掛かりを解除させて、図１６（ｂ）に示すように集合板４００を取り外すことができる。
【０１５０】
＜係止固定具４４０の回動＞
図１６（ｃ）に示すように、位置決め穴４１０に挿入された状態の係止固定具４４０を、例えば時計回り（右回り）に９０°または９０°程度回動させて、係止固定具４４０の第１係止部４５０の傾斜延出爪４５４を長穴（遊技盤３０の位置決め穴４１０）の長手方向に揃えた状態とする。このように回動させることで、傾斜延出爪４５４の窪み部４１２への係止が解除された状態となっている。この係止固定具４４０の回動を、残りの係止固定具４４０についても行う。
【０１５１】
なお、図１６（ｃ）では、時計回り（右回り）に回動させているが、それとは反対に、反時計回り（左回り）に９０°または９０°程度回動させてもよい。
【０１５２】
＜係止固定具４４０の取り出し＞
図１６（ｄ）に示すように、各係止固定具４４０を、遊技盤３０の各位置決め穴４１０からそれぞれ取り出す。
【０１５３】
このようにすることで、係止固定具４４０を用いて遊技盤３０に固定されていた集合板４００の分解作業が完了する。
【０１５４】
上述したように、本実施例１のパチンコ機１０によれば、遊技球が打ち込まれる遊技領域面３０ａを有する遊技盤３０と、この遊技盤３０の裏面の所定箇所に設けられ、遊技球を誘導する案内通路４０２を有する集合板４００と、を備え、遊技盤３０は、その裏面の所定箇所に、集合板４００を位置決めするための位置決め穴４１０を備え、位置決め穴４１０は、その内周で穴底を除く所定箇所に窪み部４１２を備え、集合板４００は、遊技盤３０と対向する面側の所定箇所に、位置決め穴４１０に挿入される突起であって位置決め穴４１０の正面視での穴形状のうちで開口中心点を挟んで対向する２箇所を少なくとも含む部分に合致する形状の嵌合突起部４２０を備え、集合板４００は、遊技盤３０と対向する面側である前面側を見た状態で嵌合突起部４２０の間箇所に、その突起方向に形成された挿入孔部４３０を備え、さらに、集合板４００を遊技盤３０に固定する係止固定具４４０を備え、この係止固定具４４０は、その一方側に設けられた、位置決め穴４１０の窪み部４１２と係止する第１係止部４５０と、その他方側に設けられた、挿入孔部４３０と係止する第２係止部４６０とを備え、遊技盤３０の位置決め穴４１０に集合板４００の嵌合突起部４２０を挿入させた状態で、当該係止固定具４４０の第１係止部４５０を位置決め穴４１０の窪み部４１２に係止させるとともに当該係止固定具４４０の第２係止部４６０を挿入孔部４３０に係止させることで、集合板４００を遊技盤３０に固定する。
【０１５５】
したがって、第１係止部４５０および第２係止部４６０を備えた係止固定具４４０を用いて集合板４００を遊技盤３０に固定しているので、集合板４００を遊技盤３０に取り付け固定する固定ネジを不使用とすることができ、固定ネジ使用に伴う次の問題を解消できる。つまり、集合板４００を遊技盤３０の裏面に組み付ける際に、集合板４００を遊技盤３０に固定するための固定ネジのネジ頭部に力が集中し、組み付け時に集合板４００の貫通孔（つまり、固定ネジが挿入される孔）の周辺部分の箇所が固定ネジの締め付けによって破損することがあるという問題を解消できる。また、集合板４００が取り付けられた遊技盤３０の搬送中の振動により、集合板４００の貫通孔の周辺部分で固定ネジの締め付け箇所などが破損することがあるという問題を解消できる。
【０１５６】
また、集合板４００の嵌合突起部４２０を遊技盤３０の位置決め穴４１０に挿入して当該集合板４００を遊技盤３０に取り付けるので、遊技盤３０の位置決め穴４１０を基準に集合板４００を取り付けることができ、集合板４００の遊技盤３０に対する取付位置の精度を向上させることができる。また、遊技盤３０の位置決め穴４１０を基準に集合板４００を取り付けることができるので、遊技盤３０に取り付けられた一の入賞装置のピンを基準に集合板４００を取り付ける場合に比べて、遊技盤３０の各入賞装置との位置関係のばらつきを低減できる。
【０１５７】
その結果、集合板４００の破損を低減できるとともに、遊技盤３０に対する集合板４００の取付位置のばらつきを低減できる遊技機を提供することができる。
【０１５８】
また、係止固定具４４０は、その第１係止部４５０が位置決め穴４１０の窪み部４１２に着脱自在であり、かつ、その第２係止部４６０が挿入孔部４３０に着脱自在であるので、使用済み品のリサイクル時には、係止固定具４４０の第１係止部４５０および第２係止部４６０の係止を解除するだけで集合板４００を遊技盤３０から取り外すことができ、遊技盤３０と集合板４００と係止固定具４４０との分別が容易である。また、集合板４００を遊技盤３０に固定する固定ネジを不要としているので、固定ネジに起因する問題も生じない。つまり、従来の場合には、遊技盤３０は木製で、集合板４００が樹脂成型品で、集合板４００を遊技盤３０に固定する固定ネジが金属製であり、当該リサイクル時には、固定ネジを緩めて取り外す作業が必要で煩雑であるという問題があったが、本発明では、固定ネジを不要にでき、当然にその取り外し作業も発生しない。
【０１５９】
また、第２係止部４６０は、係止固定具４４０の他端に設けられ、その他端に向かうにつれて先細り形状でその先端から所定距離戻った外周所定箇所に返しとしての段差部４６４を有する係止爪４６２を備え、かつ、第２係止部４６０の先端から当該係止固定具４４０の長さ方向に切欠かれた切欠き部４６６を備えたものであり、挿入孔部４３０は、当該集合板４００の前面側から挿入された係止爪４６２の先端側がその集合板４００の裏面側に突き出た状態で当該係止爪４６２の段差部４６４が引っ掛かる掛り受け部４３６を、当該集合板４００の裏面側に露出して備えているので、集合板４００の裏面側から係止爪４６２の解除操作ができる。つまり、係止爪４６２を切欠き部４６６の方へ倒すことで段差部４６４の掛り受け部４３６への引っ掛かりを解除できる。この解除操作により、集合板４００を遊技盤３０から取り外すことができることから、集合板４００の取り外しが容易であり、リサイクルの分別回収性に優れている。
【０１６０】
また、位置決め穴４１０は、その開口視した状態で長穴形状のものであり、窪み部４１２は、当該長穴の内周で穴底を除く平面内周箇所に設けられており、第１係止部４５０は、係止固定具４４０の一端に設けられ、その先端に向かうにつれて先細り形状とした矢印形状のものであり、当該係止固定具４４０の長さ方向に延びた柱部４５２と、この柱部４５２の先端から当該柱部４５２の外周で斜め方向に延びた逆Ｖ字状の傾斜延出爪４５４を備えたものであり、第１係止部４５０の傾斜延出爪４５４を長穴の長手方向に揃えて当該長穴たる位置決め穴４１０に挿入され、当該第１係止部４５０をその挿入軸周り方向に９０°または９０°程度回動させた状態で、傾斜延出爪４５４が窪み部４１２に係止されるので、第１係止部４５０の傾斜延出爪４５４を長穴の長手方向に揃えることで、その長穴たる位置決め穴４１０に第１係止部４５０を容易に挿入でき、当該第１係止部４５０をその挿入軸周り方向に９０°または９０°程度回動させるだけでこの係止固定具４４０の第１係止部４５０が遊技盤３０の位置決め穴４１０から抜けないようにでき、好適な着脱自在構成を実現できる。このように、遊技盤３０からの係止固定具４４０の取り外しが非常に容易であることから、リサイクルの分別回収性に優れている。
【０１６１】
また、傾斜延出爪４５４は、その所定箇所であって窪み部４１２と接触する接触面４５４ａの箇所が凹凸形状となっているので、傾斜延出爪４５４の凹凸形状の接触面４５４ａが窪み部４１２に滑り難く係止できる。
【０１６２】
また、この接触面４５４ａが凹凸形状となっていることは、木製（例えば合板）による遊技盤３０のときに特に好ましい。つまり、遊技盤３０の位置決め穴４１０に窪み部４１２を形成するなどのルータ加工時に、窪み部４１２のその開口側箇所の木の繊維がとられている（削られている）ことがあった場合に、接触面４５４ａの凹凸形状で窪み部４１２を適切に捉える（引っ掛かる）ことができ、その欠損を許容できる。
【０１６３】
また、嵌合突起部４２０は、位置決め穴４１０としての長穴のその形状のうちで開口中心点を挟んで対向する２箇所の円弧に合致する形状としているので、集合板４００の嵌合突起部４２０は、遊技盤３０の位置決め穴４１０としての長穴の円弧部分に合致されて挿入され、遊技盤３０に対する集合板４００の取り付け位置および姿勢を規制することができ、当該集合板４００を所定の位置でかつ所定の姿勢で遊技盤３０に取り付けることができる。
【０１６４】
また、位置決め穴４１０は、遊技盤３０の裏面の所定箇所をルータ加工することで形成された長穴としているので、ルータ加工で形成された長穴での対向する円弧部分の形状に応じた嵌合突起部４２０を、その長穴に挿入することで、遊技盤３０に対する集合板４００の取り付け位置および姿勢を規制することができ、当該集合板４００を所定の位置でかつ所定の姿勢で遊技盤３０に取り付けることができる。
【０１６５】
この発明は、上記実施形態に限られることはなく、下記のように変形実施することができる。
【０１６６】
（１）上述した実施例では、図９に示すように、嵌合突起部４２０の間の箇所に挿入孔部４３０を設けていたが、例えば図１７に示すように嵌合突起部４２０に挿入孔部４３０を設けるようにしてもよい。
【０１６７】
（２）上述した実施例では、図９に示すように、嵌合突起部４２０は、位置決め穴４１０たる長穴形状のうちで開口中心点を挟んで対向する２箇所の円弧に合致する形状としているが、例えば図１７に示すように嵌合突起部４２０を位置決め穴４１０と同じ形状とするなど、嵌合突起部４２０を、位置決め穴４１０たる長穴形状のうちで開口中心点を挟んで対向する２箇所の円弧を少なくとも含む部分に合致する形状としてもよい。
【０１６８】
（３）上述した実施例では、図９に示すように、嵌合突起部４２０は、位置決め穴４１０たる長穴形状のうちで開口中心点を挟んで対向する２箇所の円弧に合致する形状としているが、一の位置決め穴４１０に挿入される一の突起部で、第１方向への集合板４００の移動を規制するとともに、他の位置決め穴４１０に挿入される他の突起部で、第１方向とは異なる方向である第２方向への集合板４００の移動を規制するようにしてもよい。例えば、この構成としては以下のような構成が挙げられる。
【０１６９】
その構成とは、遊技盤３０は、その裏面の所定箇所に、集合板４００を位置決めするための位置決め穴４１０を少なくとも２個備え、複数個の位置決め穴４１０は、その内周で穴底を除く所定箇所に窪み部４１２をそれぞれ備え、集合板４００は、遊技盤３０と対向する面側の所定箇所に、複数個の位置決め穴４１０にそれぞれ挿入される複数個の突起部を備え、複数個の突起部のうちの一つは、それに対応する位置決め穴４１０の正面視での穴形状のうちの少なくとも一部分に合致し、所定方向たる第１方向への集合板４００の移動を規制する形状であり、複数個の突起部のうちのもう一つは、それに対応する位置決め穴４１０の正面視での穴形状のうちの少なくとも一部分に合致し、第１方向とは異なる方向である第２方向への集合板４００の移動を規制する形状であり、集合板４００は、遊技盤３０と対向する面側である前面側を見た状態で突起部またはその突起部間箇所に、その突起方向に形成された挿入孔部４３０を備え、さらに、位置決め穴４１０のうち少なくとも２箇所で集合板４００を遊技盤３０に固定する複数個の係止固定具４４０を備え、係止固定具４４０は、その一方側に設けられた、位置決め穴４１０の窪み部４１２と係止する第１係止部４５０と、その他方側に設けられた、挿入孔部４３０と係止する第２係止部４６０とを備え、遊技盤３０の位置決め穴４１０に集合板４００の突起部を挿入させた状態で、当該係止固定具４４０の第１係止部４５０を位置決め穴４１０の窪み部４１２に係止させるとともに当該係止固定具４４０の第２係止部４６０を挿入孔部４３０に係止させることで、集合板４００を遊技盤３０に固定するものである。
【０１７０】
もう少し具体的に言えば、図１８に示すように、集合板４００の正面視で左側のある箇所（第１箇所）には、前記突起部としての片嵌合突起部４２０Ａ（図７で言えば、嵌合突起部４２０のうちの下側円弧状のもの）を備え、集合板４００の正面視で左側で第１箇所とは異なる箇所（第２箇所）には、前記突起部としての片嵌合突起部４２０Ｂ（図７で言えば、嵌合突起部４２０のうちの上側円弧状のもの）を備え、集合板４００の下方向への移動を規制し、集合板４００の正面視で右側のある箇所（第３箇所）には、前記突起部としての片嵌合突起部４２０Ｂ（図７で言えば、嵌合突起部４２０のうちの上側円弧状のもの）を備え、集合板４００の正面視で右側で第３箇所とは異なる箇所（第４箇所）には、前記突起部としての片嵌合突起部４２０Ａ（図７で言えば、嵌合突起部４２０のうちの下側円弧状のもの）を備え、集合板４００の上方向への移動を規制する構成が挙げられ、この片嵌合突起部４２０Ａ，４２０Ｂ以外は前述の実施例と同様の構成としている。また、片嵌合突起部４２０Ａ，４２０Ｂは、円弧状となっているので、単一方向への規制のみではなく、その円弧面からの放射状方向への移動が規制されていることは言うまでもない。また、遊技盤３０での集合板４００の第２箇所および第４箇所が対応する箇所には、位置決め穴４１０が形成されている。つまり、遊技盤３０には、４個の位置決め穴４１０が形成されている。また、集合板４００の第２箇所および第４箇所には係止固定具４４０を取り付けてもよいが、ここでは当該第２箇所および第４箇所には係止固定具４４０を取り付けないこととしている。
【０１７１】
この構成によれば、第１係止部４５０および第２係止部４６０を備えた係止固定具４４０を用いて集合板４００を遊技盤３０に固定しているので、集合板４００を遊技盤３０に取り付け固定する固定ネジを不使用とすることができ、固定ネジ使用に伴う次の問題を解消できる。つまり、集合板４００を遊技盤３０の裏面に組み付ける際に、集合板４００を遊技盤３０に固定するための固定ネジのネジ頭部に力が集中し、組み付け時に集合板４００の貫通孔（つまり、固定ネジが挿入される孔）の周辺部分の箇所が固定ネジの締め付けによって破損することがあるという問題を解消できる。また、集合板４００が取り付けられた遊技盤３０の搬送中の振動により、集合板４００の貫通孔の周辺部分で固定ネジの締め付け箇所などが破損することがあるという問題を解消できる。
【０１７２】
また、遊技盤３０の２個以上の位置決め穴４１０に、それと同数の突起部をそれぞれ挿入して当該集合板４００を遊技盤３０に取り付けるので、遊技盤３０の２個以上の位置決め穴４１０を基準として集合板４００を取り付けることができる。また、これらの突起部により、遊技盤３０に対する集合板４００の第１，第２方向への移動が規制されて当該集合板４００が遊技盤３０に取り付けられ、集合板４００を遊技盤３０での所定の一の位置に取り付けることができ、集合板４００の遊技盤３０に対する取付位置の精度を向上させることができる。また、遊技盤３０の２個以上の位置決め穴４１０を基準に集合板４００を取り付けることができるので、遊技盤３０に取り付けられた一の入賞装置のピンを基準に集合板４００を取り付ける場合に比べて、遊技盤３０の各入賞装置との位置関係のばらつきを低減できる。
【０１７３】
その結果、集合板４００の破損を低減できるとともに、遊技盤３０に対する集合板４００の取付位置のばらつきを低減できる遊技機を提供することができる。
【０１７４】
（４）上述した実施例では、複数個の位置決め穴４１０の全てに係止固定具４４０を備えているが、係止固定具４４０が挿入されない位置決め穴４１０を形成するようにしてもよい。
【０１７５】
（５）上述した実施例では、図１４を用いて、係止固定具４４０で集合板４００を遊技盤３０に取り付け固定する手順について説明したが、以下のような手順でもよい。
【０１７６】
つまり、前述の実施例とは違った手順で、係止固定具４４０を用いて、集合板４００を遊技盤３０に取り付け固定する手順について、図１９を用いて説明する。
【０１７７】
＜係止固定具４４０の挿入＞
図６に示すように、各係止固定具４４０を、遊技盤３０の各位置決め穴４１０にそれぞれ挿入する。つまり、図１９（ａ）に示すように、係止固定具４４０の第１係止部４５０の傾斜延出爪４５４を長穴（遊技盤３０の位置決め穴４１０）の長手方向に揃えた状態で、図１９（ｂ）に示すように第１係止部４５０が当該長穴たる位置決め穴４１０に挿入する。
【０１７８】
＜係止固定具４４０の回動＞
図１９（ｂ）に示すように、係止固定具４４０の第１係止部４５０が長穴たる位置決め穴４１０に挿入された状態のままで、この係止固定具４４０を例えば時計回り（右回り）に９０°または９０°程度回動させる。このように回動させることで、図１５に示すように、傾斜延出爪４５４が窪み部４１２に係止されるようになっている。この係止固定具４４０の回動を、残りの係止固定具４４０についても同様に行う。
【０１７９】
なお、図１９（ｂ）では、時計回り（右回り）に回動させているが、それとは反対に、反時計回り（左回り）に９０°または９０°程度回動させてもよい。
【０１８０】
＜集合板４００の嵌合突起部４２０の嵌合＞
集合板４００の各嵌合突起部４２０を遊技盤３０の各位置決め穴４１０に嵌合させる、つまり、図１９（ｃ）に示すように、集合板４００の嵌合突起部４２０を遊技盤３０の位置決め穴４１０に嵌合させるようにして、集合板４００を遊技盤３０に取り付けていく。つまり、円弧状の両嵌合突起部４２０が長穴たる位置決め穴４１０のその両円弧部分に嵌入されていき、集合板４００が遊技盤３０に取り付けられていく。
【０１８１】
＜第２係止部４６０の挿入孔部４３０への係止＞
図１９（ｄ）に示すように、集合板４００の正面側を遊技盤３０の裏面側に完全に押し付けた状態とすることで、各係止固定具４４０の第２係止部４６０が各挿入孔部４３０に係止された状態となる。つまり、第２係止部４６０の係止爪４６２の段差部４６４が挿入孔部４３０の掛り受け部４３６に引っ掛かり係止された状態となり、集合板４００を遊技盤３０の裏面に取り付けられる。
【０１８２】
このようにすることでも、係止固定具４４０を用いた、集合板４００の遊技盤３０への固定が完了する。
【０１８３】
（６）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１８４】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【０１８５】
以上のように、この発明は、パチンコ機等の遊技機に適している。
【図面の簡単な説明】
【０１８６】
【図１】本発明の実施例のパチンコ機の概略正面図である。
【図２】遊技盤の構成を示す正面図である。
【図３】パチンコ機の構成を示す背面図である。
【図４】パチンコ機の電気的構成を示すブロック図である。
【図５】第３図柄表示装置の表示内容を示す説明図である。
【図６】実施例の遊技盤と集合板とを後方斜視した分解斜視図である。
【図７】遊技盤と集合板とを前方斜視した分解斜視図である。
【図８】遊技盤の位置決め穴箇所の部分と集合板の嵌合突起部箇所の部分と係止固定具とを後方斜視した分解斜視図である。
【図９】遊技盤の位置決め穴箇所の部分と集合板の嵌合突起部箇所の部分と係止固定具とを前方斜視した分解斜視図である。
【図１０】遊技盤と集合板とを係止固定具で固定した状態の当該係止固定具部分箇所を示す後方斜視図である。
【図１１】（ａ）は遊技盤の位置決め穴箇所の部分の正面図、（ｂ）は（ａ）に示したＡ−Ａ線断面図、（ｃ）は（ａ）に示したＢ−Ｂ線断面図である。
【図１２】（ａ）は集合板の嵌合突起部箇所の部分を示す平面図、（ｂ）はその右側面図、（ｃ）はその裏面図、（ｄ）は（ｃ）に示したＣ−Ｃ線断面図、（ｅ）はその正面図、（ｆ）はその底面図である。
【図１３】（ａ）は係止固定具の平面図、（ｂ）はその左側面図、（ｃ）はその正面図、（ｄ）はその右側面図、（ｅ）はその裏面図、（ｆ）はその底面図である。
【図１４】（ａ）〜（ｄ）は係止固定具を用いて集合板を遊技盤に固定する手順を説明するための図である。
【図１５】集合板が固定された遊技盤での位置決め穴箇所の部分の断面図である。
【図１６】（ａ）〜（ｄ）は係止固定具を用いて遊技盤に固定された集合板の取り外し手順を説明するための図である。
【図１７】変形例での集合板の嵌合突起部を説明するための図である。
【図１８】変形例での集合板の各嵌合突起部を説明するための図である。
【図１９】（ａ）〜（ｄ）は変形例での係止固定具を用いて集合板を遊技盤に固定する手順を説明するための図である。
【符号の説明】
【０１８７】
３０  …遊技盤
３０ａ…遊技領域面
４００  …集合板
４１０  …位置決め穴（位置決め穴部）
４１２  …窪み部（凹部）
４２０  …嵌合突起部（突起部）
４３０  …挿入孔部（孔部）
４３６  …掛り受け部
４４０  …係止固定具
４５０  …第１係止部
４５２  …柱部
４５４  …傾斜延出爪
４５４ａ…接触面
４６０  …第２係止部
４６２  …係止爪
４６４  …段差部
４６６  …切欠き部
【図１】
2008067976.tif 000003
【図２】
2008067976.tif 000004
【図３】
2008067976.tif 000005
【図４】
2008067976.tif 000006
【図５】
2008067976.tif 000007
【図６】
2008067976.tif 000008
【図７】
2008067976.tif 000009
【図８】
2008067976.tif 000010
【図９】
2008067976.tif 000011
【図１０】
2008067976.tif 000012
【図１１】
2008067976.tif 000013
【図１２】
2008067976.tif 000014
【図１３】
2008067976.tif 000015
【図１４】
2008067976.tif 000016
【図１５】
2008067976.tif 000017
【図１６】
2008067976.tif 000018
【図１７】
2008067976.tif 000019
【図１８】
2008067976.tif 000020
【図１９】
2008067976.tif 000021